(57)【要約】電力を消費する１又は複数の負荷４００と、負荷追従運転を行うＳＯＦＣユニット１００と、を有する需要家１における電力管理を行うためのＨＥＭＳ５００は、需要家１における時間帯別の予測消費電力を計算した後、予測消費電力がＳＯＦＣユニット１００の第１の閾値を超える超過時間帯を示す情報と、予測消費電力が第２の閾値に満たない非超過時間帯を示す情報と、を表示する。
2013047444.tif 000002
【特許請求の範囲】
【請求項１】
電力を消費する１又は複数の負荷と、負荷追従運転を行う燃料電池ユニットと、を有する需要家における電力管理を行うための電力管理システムであって、
表示部と、
前記表示部を制御する制御部と、を有し、
前記制御部は、前記需要家における予測消費電力が第１の閾値を超える第１の時間帯を示す情報と、前記予測消費電力が第２の閾値に満たない第２の時間帯を示す情報と、を表示するよう前記表示部を制御し、
前記制御部は、前記第１及び第２の閾値を前記燃料電池ユニットの定格出力電力に応じて設定することを特徴とする電力管理システム。
【請求項２】
前記第１の閾値は、前記燃料電池ユニットの定格出力電力以上の値であり、前記第２の閾値は、前記燃料電池ユニットの定格出力電力以下の値であることを特徴とする請求項１に記載の電力管理システム。
【請求項３】
前記需要家における過去の消費電力実績を記憶する記憶部をさらに有し、
前記制御部は、前記過去の消費電力実績に基づいて、前記予測消費電力を時間帯別に計算することを特徴とする請求項２に記載の電力管理システム。
【請求項４】
前記制御部は、さらに、前記第１の閾値に対する前記予測消費電力の超過分又は前記第２の閾値に対する前記予測消費電力の余裕を時間帯別に計算した後、前記第１の時間帯における前記超過分を示す情報と、前記第２の時間帯における前記余裕を示す情報と、を表示するよう前記表示部を制御することを特徴とする請求項３に記載の電力管理システム。
【請求項５】
前記制御部は、前記需要家に設けられた他の発電ユニットの予測出力電力情報を取得し、
前記制御部は、さらに、前記予測出力電力情報を、前記第１の時間帯を示す情報と関連付けて表示するよう前記表示部を制御することを特徴とする請求項４に記載の電力管理システム。
【請求項６】
前記制御部は、さらに、前記予測出力電力情報に基づいて時間帯別の売電有無を予測した後、前記第１の時間帯を示す情報を、予測される売電有無に関する情報と関連付けて表示するよう前記表示部を制御することを特徴とする請求項５に記載の電力管理システム。
【請求項７】
前記記憶部は、前記需要家に設けられた負荷毎に前記過去の消費電力実績を記憶し、
前記制御部は、さらに、時間帯別の前記予測消費電力を負荷毎に計算した後、前記負荷毎に計算された前記予測消費電力に基づいて、前記第１の時間帯において使用を止めるべき負荷を示す情報、及び／又は、前記第２の時間帯において使用すべき負荷を示す情報を表示するよう前記表示部を制御することを特徴とする請求項３に記載の電力管理システム。
【請求項８】
前記記憶部は、前記需要家に設けられた部屋毎に前記過去の消費電力実績を記憶し、
前記制御部は、さらに、時間帯別の前記予測消費電力を部屋毎に計算した後、前記部屋毎に計算された前記予測消費電力に基づいて、前記第１の時間帯において負荷使用を止めるべき部屋を示す情報、及び／又は、前記第２の時間帯において負荷を使用すべき部屋を示す情報を表示するよう前記表示部を制御することを特徴とする請求項３に記載の電力管理システム。
【請求項９】
電力を消費する１又は複数の負荷と、負荷追従運転を行う燃料電池ユニットと、を有する需要家における電力管理を行うための表示制御方法であって、
前記需要家における時間帯別の予測消費電力を計算するステップと、
前記予測消費電力が前記燃料電池ユニットの第１の閾値を超える第１の時間帯を示す情報と、前記予測消費電力が第２の閾値に満たない第２の時間帯を示す情報と、を表示部が表示するよう制御するステップと、を有し、
前記第１及び第２の閾値は前記燃料電池ユニットの定格出力電力に応じて設定されることを特徴とする表示制御方法。
【請求項１０】
電力を消費する１又は複数の負荷と、負荷追従運転を行う燃料電池ユニットと、を有する需要家における電力管理を行うための電力管理装置であって、
表示部と、
前記表示部を制御する制御部と、を有し、
前記制御部は、前記需要家における予測消費電力が第１の閾値を超える第１の時間帯を示す情報と、前記予測消費電力が第２の閾値に満たない第２の時間帯を示す情報と、を表示するよう前記表示部を制御し、
前記制御部は、前記第１及び第２の閾値を前記燃料電池ユニットの定格出力電力に応じて設定することを特徴とする電力管理装置。
【発明の詳細な説明】
【技術分野】
【０００１】
本発明は、燃料電池ユニットを有する需要家における電力管理を行うための電力管理システム、電力管理装置及び表示制御方法に関する。
【背景技術】
【０００２】
近年、電力の需要家（住宅など）において、商用電力系統の補助電源として、燃料電池と電力変換装置（パワーコンディショナ）とを備える燃料電池ユニットの普及が進んでいる。【０００３】
また、特許文献１には、エアコンが設置されている部屋の内気温よりも外気温の方が低い場合には、当該部屋の換気を促すメッセージを表示する技術が記載されている。
【先行技術文献】
【特許文献】
【０００４】
【特許文献１】特開２０１１−６７０２０号公報
【発明の概要】
【０００５】
特許文献１に記載の技術は、消費電力の低減を促進させるための表示を行うものであるが、燃料電池ユニットの性質に着目した表示を行っていない。
【０００６】
したがって、燃料電池ユニットを有する需要家において、燃料電池ユニットの発電効率の改善を促進できないという問題があった。
【０００７】
そこで、本発明は、燃料電池ユニットの発電効率の改善を促進できる電力管理システム、電力管理装置及び表示制御方法を提供することを目的とする。
【０００８】
本発明の実施形態に係る電力管理システムは、電力を消費する１又は複数の負荷と、負荷追従運転を行う燃料電池ユニットと、を有する需要家における電力管理を行う。電力管理システムは、表示部と、前記表示部を制御する制御部と、を有し、前記制御部は、前記需要家における予測消費電力が第１の閾値を超える第１の時間帯を示す情報と、前記予測消費電力が第２の閾値に満たない第２の時間帯を示す情報と、を表示するよう前記表示部を制御する。
【０００９】
本発明の他の特徴によれば、前記第１の閾値は、前記燃料電池ユニットの定格出力電力以上の値であり、前記第２の閾値は、前記燃料電池ユニットの定格出力電力以下の値である。
【００１０】
本発明の他の特徴によれば、前記需要家における過去の消費電力実績を記憶する記憶部をさらに有し、前記制御部は、前記過去の消費電力実績に基づいて、前記予測消費電力を時間帯別に計算する。
【００１１】
本発明の他の特徴によれば、前記制御部は、さらに、前記第１の閾値に対する前記予測消費電力の超過分又は前記第２の閾値に対する前記予測消費電力の余裕を時間帯別に計算した後、前記第１の時間帯における前記超過分を示す情報と、前記第２の時間帯における前記余裕を示す情報と、を表示するよう前記表示部を制御する。
【００１２】
本発明の他の特徴によれば、前記制御部は、前記需要家に設けられた他の発電ユニットの予測出力電力情報を取得する。前記制御部は、さらに、前記予測出力電力情報を前記第１の時間帯を示す情報と関連付けて表示するよう前記表示部を制御する。
【００１３】
本発明の他の特徴によれば、前記制御部は、さらに、前記予測出力電力情報に基づいて時間帯別の売電有無を予測した後、前記第１の時間帯を示す情報を、予測される売電有無に関する情報と関連付けて表示するよう前記表示部を制御する。
【００１４】
本発明の他の特徴によれば、前記記憶部は、前記需要家に設けられた負荷毎に前記過去の消費電力実績を記憶し、前記制御部は、さらに、時間帯別の前記予測消費電力を負荷毎に計算した後、前記負荷毎に計算された前記予測消費電力に基づいて、前記第１の時間帯において使用を止めるべき負荷を示す情報、及び／又は、前記第２の時間帯において使用すべき負荷を示す情報を表示するよう前記表示部を制御する。
【００１５】
本発明の他の特徴によれば、前記記憶部は、前記需要家に設けられた部屋毎に前記過去の消費電力実績を記憶し、前記制御部は、さらに、時間帯別の前記予測消費電力を部屋毎に計算した後、前記部屋毎に計算された前記予測消費電力に基づいて、前記第１の時間帯において負荷使用を止めるべき部屋を示す情報、及び／又は、前記第２の時間帯において負荷を使用すべき部屋を示す情報を表示するよう前記表示部を制御する。
【００１６】
本発明の実施形態に係る表示制御方法は、電力を消費する１又は複数の負荷と、負荷追従運転を行う燃料電池ユニットと、を有する需要家における電力管理を行う。表示制御方法は、前記需要家における過去の消費電力実績に基づいて前記需要家における時間帯別の予測消費電力を計算するステップと、前記予測消費電力が前記燃料電池ユニットの第１の閾値を超える第１の時間帯を示す情報と、前記予測消費電力が第２の閾値に満たない第２の時間帯を示す情報と、を表示部が表示するよう制御するステップと、を有する。前記第１及び第２の閾値は、前記燃料電池ユニットの定格出力電力に応じて設定される。
【００１７】
本発明の実施形態に係る電力管理装置は、電力を消費する１又は複数の負荷と、負荷追従運転を行う燃料電池ユニットと、を有する需要家における電力管理を行う。電力管理装置は、表示部と、前記表示部を制御する制御部と、を有する。前記制御部は、前記需要家における予測消費電力が第１の閾値を超える第１の時間帯を示す情報と、前記予測消費電力が第２の閾値に満たない第２の時間帯を示す情報と、を表示するよう前記表示部を制御する。前記制御部は、前記第１及び第２の閾値を前記燃料電池ユニットの定格出力電力に応じて設定する。
【００１８】
本発明によれば、燃料電池ユニットの発電効率の改善を促進できる電力管理システム、電力管理装置及び表示制御方法を提供できる。
【図面の簡単な説明】
【００１９】
【図１】図１は、本発明の実施形態に係る電力システムのブロック図である。
【図２】図２は、本発明の実施形態に係るＨＥＭＳのブロック図である。
【図３】図３は、本発明の実施形態に係るＨＥＭＳの動作フロー図である。
【図４】図４は、本発明の実施形態に係る表示部の画面表示例を説明するための図である。
【図５】図５は、本発明の実施形態の第１変更例に係る電力システムのブロック図である。
【発明を実施するための形態】
【００２０】
図面を参照して、本発明の実施形態を説明する。以下の実施形態に係る図面において、同一又は類似の部分には同一又は類似の符号を付す。
【００２１】
図１は、本実施形態に係る電力システムのブロック図である。図１において、太線は電力ラインを示し、破線は制御ラインを示す。制御ラインは無線としてもよい。
【００２２】
図１に示すように、本実施形態に係る電力システムは、固体酸化物形燃料電池（ＳＯＦＣ）ユニット１００、分電盤３００、１又は複数の負荷４００、及び住宅エネルギー管理システム（ＨＥＭＳ）５００を有する。ＳＯＦＣユニット１００、分電盤３００、負荷４００、及びＨＥＭＳ５００は、商用電力系統（以下、「系統」）１０から交流（ＡＣ）電力の供給を受ける需要家に設けられる。ＳＯＦＣユニット１００は系統１０に連系されている。本実施形態において、ＳＯＦＣユニット１００は、負荷４００の消費電力の増減に合わせて出力電力を増減する負荷追従運転を行う燃料電池ユニットに相当する。また、ＨＥＭＳ５００は、需要家１における電力管理を行うための電力管理システム又は電力管理装置に相当する。
【００２３】
ＳＯＦＣユニット１００は、ＳＯＦＣ１１０、ＳＯＦＣパワーコンディショナ（ＰＣＳ）１２０、及びＳＯＦＣコントローラ１４０を含む。ＳＯＦＣ１１０は、燃料電池の一種であり、天然ガスなどから取り出した水素と空気中の酸素との化学反応により発電を行い、発電した直流（ＤＣ）電力を出力する。ＳＯＦＣ１１０の発電量は、ＳＯＦＣ１１０に入力されるガス及び空気の量に応じて変化する。ガス及び空気の量は、ＳＯＦＣコントローラ１４０によって制御される。ＳＯＦＣ ＰＣＳ１２０は、ＳＯＦＣ１１０が出力するＤＣ電力が入力され、当該入力されたＤＣ電力をＡＣ電力に変換し、ＳＯＦＣ電力ライン１２を介して当該ＡＣ電力を分電盤３００に出力する。ＳＯＦＣコントローラ１４０は、負荷追従運転を行うための制御を行う。本実施形態では、ＳＯＦＣコントローラ１４０は、系統１０からの買電電力の計測値が所定値（例えばゼロ）になるようにＳＯＦＣユニット１００の目標出力電力を決定し、ＳＯＦＣユニット１００の出力電力が当該目標出力電力なるようにＳＯＦＣ１１０を制御する。あるいは、ＳＯＦＣコントローラ１４０は、負荷４００の消費電力の計測値と等しい目標出力電力を決定し、ＳＯＦＣユニット１００の出力電力が当該目標出力電力になるようにＳＯＦＣ１１０を制御してもよい。
【００２４】
分電盤３００は、系統電力ライン１１、ＳＯＦＣ電力ライン１２、及び負荷電力ライン１４が接続される。分電盤３００は、系統１０からの買電電力とＳＯＦＣユニット１００からの出力電力とを負荷４００に分配する。本実施形態では、分電盤３００は、系統１０からの買電電力及び負荷４００の消費電力を定期的に計測する計測部３１０を含む。計測部３１０は、計測値を、ＳＯＦＣコントローラ１４０との間の制御ラインを介してＳＯＦＣコントローラ１４０に出力する。また、計測部３１０は、計測値を、ＨＥＭＳ５００との間の制御ラインを介してＨＥＭＳ５００に出力する。
【００２５】
負荷４００は、分電盤３００から負荷電力ライン１４を介してＡＣ電力が入力され、当該入力されたＡＣ電力を消費して動作する。負荷４００は、例えば、照明、エアコン、冷蔵庫、テレビ等の家電機器である。
【００２６】
ＨＥＭＳ５００は、負荷４００の消費電力実績を管理して表示する。また、ＨＥＭＳ５００は、省電力のための制御を負荷４００に対して行ってもよい。図２は、ＨＥＭＳ５００のブロック図である。図２に示すように、ＨＥＭＳ５００は、通信部５１０、入力部５２０、表示部５３０、記憶部５４０、及び制御部５５０を含む。通信部５１０は、需要家１に設けられた各機器との通信を行う。入力部５２０は、住人からの操作入力を受け付ける。表示部５３０は、各種の表示を行う。入力部５２０及び表示部５３０はタッチパネルとして一体化されていてもよい。
【００２７】
記憶部５４０は、メモリなどにより構成されており、制御部５５０における制御に使用される各種情報を記憶する。また、記憶部５４０は、需要家１における過去の消費電力実績を記憶する。詳細には、制御部５５０は、通信部５１０が受信した負荷消費電力の計測値を時刻情報と関連付けて記憶部５４０に記憶させている。記憶部５４０は、ＳＯＦＣユニット１００の定格出力電力（すなわち、最大出力電力）を記憶する。定格出力電力は、需要家１における時間帯別の予測消費電力と比較される閾値（第１の閾値、及び／又は第２の閾値）として利用される。制御部５５０は、第１の閾値を、定格出力電力以上の値に設定し、第２の閾値を、定格出力電力以下の値に設定する。
【００２８】
以下、本実施形態では、第１の閾値と第２の閾値とがそれぞれ定格出力電力である場合について説明するが、第１の閾値と第２の閾値とが上記の定義に従ってそれぞれ異なる値として設定されてもよい。この場合、以下の説明において、「超過時間帯」を規定する場合の「定格出力電力」を、「第１の閾値」と読み替え、「非超過時間帯」を規定する場合の「定格出力電力」を「第２の閾値」と読み替えるものとする。需要家１における時間帯別の予測消費電力の計算方法については次に示す。
【００２９】
制御部５５０は、プロセッサなどにより構成されており、ＨＥＭＳ５００の各種機能を制御する。制御部５５０は、記憶部５４０が記憶している過去の消費電力実績に基づいて、需要家１における時間帯別の予測消費電力を計算する。そして、制御部５５０は、計算した時間帯別の予測消費電力に基づいて、予測消費電力がＳＯＦＣユニット１００の定格出力電力を超える時間帯（以下、「超過時間帯」）を示す情報と、予測消費電力が定格出力電力に満たない時間帯（以下、「非超過時間帯」）を示す情報と、を表示するよう表示部５３０を制御する。
【００３０】
次に、本実施形態に係るＨＥＭＳ５００の動作を説明する。図３は、本実施形態に係るＨＥＭＳ５００の動作フロー図である。ＨＥＭＳ５００は、本フローを定期的に（例えば１日に１回）実行する。
【００３１】
図３に示すように、ステップＳ１０１において、制御部５５０は、過去の消費電力実績に基づいて、時間帯ｎの予測消費電力を計算する。ｎの初期値は１であり、時間帯のインデックス値は記憶部５４０に予め記憶されている。当該時間帯の時間長などは、住人が入力部５２０を用いて設定してもよい。
【００３２】
例えば、制御部５５０は、時間帯ｎに対応する負荷消費電力の計測値の平均を計算し、当該平均値を予測消費電力とする。あるいは、平均値以外の代表値（中間値など）を計算してもよい。また、最近の計測値の重みを大きくした重み付け平均を計算してもよい。
【００３３】
ステップＳ１０２において、制御部５５０は、時間帯ｎについて計算した予測消費電力を、ＳＯＦＣユニット１００の定格出力電力と比較する。ＳＯＦＣユニット１００の定格出力電力は、記憶部５４０に予め記憶されている。定格出力電力は、住人が入力部５２０を用いて入力してもよく、ＨＥＭＳ５００とＳＯＦＣコントローラ１４０との通信により取得してもよい。
【００３４】
ステップＳ１０３において、制御部５５０は、時間帯ｎについて計算した予測消費電力が、ＳＯＦＣユニット１００の定格出力電力と等しいか否かを確認する。等しくない場合には処理がステップＳ１０４に進み、等しい場合には処理がステップＳ１０９に進む。
【００３５】
ステップＳ１０４において、制御部５５０は、時間帯ｎについて計算した予測消費電力が、ＳＯＦＣユニット１００の定格出力電力を超えるか否かを確認する。超える場合には処理がステップＳ１０５に進み、超えない場合には処理がステップＳ１０７に進む。
【００３６】
ステップＳ１０５において、制御部５５０は、時間帯ｎについて計算した予測消費電力からＳＯＦＣユニット１００の定格出力電力を減じることで、ＳＯＦＣユニット１００の定格出力電力に対する予測消費電力の超過分を計算する。制御部５５０は、時間帯ｎについて計算した予測消費電力から、ＳＯＦＣユニット１００の定格出力電力を超える値（第１の所定値）を減じることで、ＳＯＦＣユニット１００の定格出力電力に対する予測消費電力の超過分を計算してもよい。そして、ステップＳ１０６において、制御部５５０は、時間帯ｎが超過時間帯である旨の情報と、時間帯ｎにおける超過分の情報とを記憶部５４０に記憶させる。
【００３７】
一方、ステップＳ１０７において、制御部５５０は、ＳＯＦＣユニット１００の定格出力電力から、時間帯ｎについて計算した予測消費電力を減じることで、ＳＯＦＣユニット１００の定格出力電力に対する予測消費電力の余裕を計算する。制御部５５０は、ＳＯＦＣユニット１００の定格出力電力に満たない値（第２の所定値）から、時間帯ｎについて計算した予測消費電力を減じることで、ＳＯＦＣユニット１００の定格出力電力に対する予測消費電力の余裕を計算してもよい。そして、ステップＳ１０８において、制御部５５０は、時間帯ｎが非超過時間帯である旨の情報と、時間帯ｎにおける余裕の情報とを記憶部５４０に記憶させる。
【００３８】
次に、ステップＳ１０９において、制御部５５０は、全時間帯についての処理が終了したか否かを確認する。全時間帯についての処理が終了した場合には処理がステップＳ１１１に進み、終了していない場合には処理がステップＳ１１０に進む。ステップＳ１１０において制御部５５０はｎをインクリメントし、次の時間帯についての処理が再びステップＳ１０１から行われる。
【００３９】
一方、全時間帯についての処理が終了した後のステップＳ１１１において、制御部５５０は、記憶部５４０に記憶させた超過情報（超過時間帯及び超過分）及び余裕情報（非超過時間帯及び余裕）を表示するよう表示部５３０を制御する。ここで、制御部５５０は、超過時間帯における消費電力を非超過時間帯に移すようにアドバイスする旨の表示を行ってもよい。
【００４０】
図４は、表示部５３０の画面表示例を説明するための図である。図４では、制御部５５０が朝（ＡＭ７：３０）にその日の時間帯別の予測消費電力を計算して表示制御を行う一例を示す。
【００４１】
図４に示すように、表示部５３０は、１２：００〜１３：００、１３：００〜１４：００、１８：００〜１９：３０、１９：３０〜２１：３０の各時間帯が超過時間帯である旨及びその超過分を関連付けて表示する。また、表示部５３０は、１０：００〜１１：３０、１４：３０〜１６：３０、００：００〜０６：００の各時間帯が非超過時間帯である旨及びその余裕を関連付けて表示する。さらに、表示部５３０は、超過時間帯における消費電力（機器使用）を非超過時間帯に移すようにアドバイスする旨の表示を行う。
【００４２】
表示部５３０は、系統１０からの買電電力及び負荷４００の消費電力を表示してもよい。また、表示部５３０の画面表示は、例えばグラフ、アイコン等を用いたＧＵＩ（グラフィカルユーザインターフェース）として構成してもよい。
【００４３】
また、住人は、超過時間帯から非超過時間帯に移す消費電力（機器使用）の情報を、入力部５２０の操作によって入力してもよい。このとき、表示部５３０は、消費電力を移すことによって変化した時間帯別の予測消費電力を表示してもよい。
【００４４】
以上説明したように、電力を消費する１又は複数の負荷４００と、負荷追従運転を行うＳＯＦＣユニット１００と、を有する需要家１における電力管理を行うためのＨＥＭＳ５００は、表示部５３０と、表示部５３０を制御する制御部５５０と、需要家１における過去の消費電力実績を記憶する記憶部５４０と、を有する。制御部５５０は、過去の消費電力実績に基づいて需要家１における時間帯別の予測消費電力を計算した後、予測消費電力がＳＯＦＣユニット１００の定格出力電力を超える超過時間帯を示す情報と、予測消費電力が定格出力電力に満たない非超過時間帯を示す情報と、を表示するよう表示部５３０を制御する。
【００４５】
このように、ＨＥＭＳ５００は、過去の消費電力実績に基づいて計算される予測消費電力がＳＯＦＣユニット１００の定格出力電力を超える時間帯（超過時間帯）を示す情報及び超えない時間帯（非超過時間帯）を示す情報を表示する。ＳＯＦＣユニット１００は定格出力電力で運転を行うと発電効率が最も高くなるため、超過時間帯及び非超過時間帯を住人に知らせることによって、ＳＯＦＣユニット１００を定格出力電力で運転させるよう住人の意識を高めることができる。したがって、ＳＯＦＣユニット１００を有する需要家１において、ＳＯＦＣユニット１００の発電効率の改善を促進できる。
【００４６】
さらに、制御部５５０は、過去の消費電力実績に基づいて定格出力電力に対する予測消費電力の超過分又は余裕を時間帯別に計算した後、超過時間帯における超過分を示す情報と、非超過時間帯における余裕を示す情報と、を表示するよう表示部５３０を制御する。これにより、住人は、どの程度超過するのか及びどの程度余裕があるのかを知ることができるため、より具体的に、ＳＯＦＣユニット１００を定格出力電力で運転させるよう促すことができる。
【００４７】
［第１変更例］
次に、上述した実施形態の第１変更例を説明する。図５は、本変更例に係る電力システムのブロック図である。図５において、太線は電力ラインを示し、破線は制御ラインを示す。制御ラインは無線としてもよい。
【００４８】
図５に示すように、本変更例に係る電力システムは、需要家１が、太陽電池（ＰＶ）２１０及びＰＶ  ＰＣＳ２２０を含むＰＶユニット２００をさらに有する点で、上述した実施形態と異なる。
【００４９】
本変更例に係る電力システムは、ＳＯＦＣユニット１００及びＰＶユニット２００の２つの発電ユニットを併用する構成である。ＳＯＦＣユニット１００及びＰＶユニット２００のそれぞれは、系統１０に連系されている。ＰＶユニット２００の出力電力は、系統１０に売電することができるため、ＰＶユニット２００の出力電力は負荷４００に供給するのではなく、できる限り系統１０に売電することが好ましい。
【００５０】
本変更例では、制御部５５０は、ＰＶユニット２００が、将来の所定期間（例えば、１日単位）において時間帯別に発電することが予測される電力を示す情報（以下、「予測出力電力情報」）を取得する。予測出力電力情報は、ネットワーク２０に接続されたサービスセンター等から需要家１のＨＥＭＳ５００へ提供される。この場合、ＨＥＭＳ５００は、サービスセンター等において予測出力電力情報が作成されるときに必要とされる要素情報として、需要家１の地域情報等を事前に提供してもよい。また、制御部５５０は、ネットワーク２０から、その日の需要家１の地域の天候（例えば、日射量）の情報（以下、「天候情報」）を取得し、取得した天候情報からＰＶユニット２００の出力電力を予測して、予測出力電力情報を取得するようにしてもよい。そして、制御部５５０は、上述した動作フローに加えて、予測出力電力情報に基づいて時間帯別の売電有無を予測した後、上述した超過時間帯を示す情報を、予測される売電有無に関する情報と関連付けて表示するよう表示部５３０を制御（ステップＳ１１１）する。売電有無は、ＰＶユニット２００の予測出力電力とＳＯＦＣユニット１００の定格出力電力との合計値が、負荷４００の予測消費電力よりも大きい場合に売電有りと予測され、負荷４００の予測消費電力以下の場合に売電無しと予測される。
【００５１】
例えば、制御部５５０は、図４の表示例において、１２：００〜１３：００の超過時間帯で売電有りを予測した場合に、当該時間帯で売電有りが予測される旨を表示するよう表示部５３０を制御する。これにより、当該時間帯で消費電力（機器使用）をＳＯＦＣ定格出力電力まで減らせば、ＳＯＦＣユニット１００を高い発電効率で運転させると同時に、系統１０への売電量を最大化できることを住人に知らせることができる。ここで、制御部５５０は、ＳＯＦＣユニット１００を高い発電効率で運転させると同時に系統１０への売電量を最大化できる旨を表示（アドバイス）するよう表示部５３０を制御してもよい。
【００５２】
また、１２：００〜１３：００の超過時間帯で売電有りを予測した場合に、当該時間帯の消費電力を非超過時間帯へ移すことで、売電量を増加でき、ＳＯＦＣユニット１００の発電効率を向上できることを住人に知らせることができる。ここで、制御部５５０は、当該時間帯の消費電力を非超過時間帯へ移すことで、売電量を増加でき、ＳＯＦＣユニット１００の発電効率を向上できる旨を表示（アドバイス）するよう表示部５３０を制御してもよい。
【００５３】
本変更例では、制御部５５０が、予測出力電力情報に基づいて時間帯別の売電有無を予測したが、ＰＶユニット２００から系統１０への過去の売買電力実績に基づいて時間帯別の売買有無を予測してもよい。
【００５４】
［第２変更例］
次に、上述した実施形態の第２変更例を説明する。
【００５５】
本変更例では、記憶部５４０は、需要家１に設けられた負荷４００毎に過去の消費電力実績を記憶する。負荷毎の消費電力の計測方法については、特開２０１１−１２０３２４号公報を参照されたい。
【００５６】
制御部５５０は、上述した動作フローにおいて、時間帯別の予測消費電力を負荷４００毎に計算した後、負荷４００毎に計算された予測消費電力に基づいて、超過時間帯において使用を止めるべき負荷４００を示す情報を表示するよう表示部５３０を制御（ステップＳ１１１）する。例えば、制御部５５０は、予め各負荷４００に対して設定された優先度（重要度）が低い順に、負荷４００毎の予測消費電力を積算し、積算値が定格出力電力に対する超過分以下となる範囲内の各負荷４００を、使用を止めるべき負荷４００として決定し、当該負荷４００の名称を表示するよう表示部５３０を制御する。
【００５７】
また、制御部５５０は、上述した動作フローにおいて、時間帯別の予測消費電力を負荷４００毎に計算した後、負荷４００毎に計算された予測消費電力に基づいて、非超過時間帯において使用すべき負荷４００を示す情報を表示するよう表示部５３０を制御（ステップＳ１１１）する。例えば、制御部５５０は、予め各負荷４００に対して設定された優先度（重要度）が高い順に、負荷４００毎の予測消費電力を積算し、積算値が定格出力電力に対する余裕以下となる範囲内の各負荷４００を、使用すべき負荷４００として決定し、当該負荷４００の名称を表示するよう表示部５３０を制御する。
【００５８】
このような１つの負荷単位での処理に限らず、負荷のグループ単位（例えば部屋単位）で同様の処理を行ってもよい。
【００５９】
この場合、制御部５５０は、上述した動作フローにおいて、時間帯別の予測消費電力を部屋毎に計算した後、部屋毎に計算された予測消費電力に基づいて、超過時間帯において負荷使用を止めるべき部屋を示す情報を表示するよう表示部５３０を制御（ステップＳ１１１）する。例えば、制御部５５０は、予め各部屋に対して設定された優先度（重要度）が低い順に、部屋毎の予測消費電力を積算し、積算値が定格出力電力に対する超過分以下となる範囲内の各部屋を、負荷使用を止めるべき部屋として決定し、当該部屋の名称を表示するよう表示部５３０を制御する。
【００６０】
また、制御部５５０は、上述した動作フローにおいて、時間帯別の予測消費電力を部屋毎に計算した後、部屋毎に計算された予測消費電力に基づいて、非超過時間帯において負荷を使用すべき部屋を示す情報を表示するよう表示部５３０を制御（ステップＳ１１１）する。例えば、制御部５５０は、予め各部屋に対して設定された優先度（重要度）が高い順に、部屋毎の予測消費電力を積算し、積算値が定格出力電力に対する余裕以下となる範囲内の各部屋を、負荷を使用すべき部屋として決定し、当該部屋の名称を表示するよう表示部５３０を制御する。
【００６１】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００６２】
例えば、上述した実施形態では、宅内に設けられるエネルギー管理システム（ＥＭＳ）であるＨＥＭＳを本発明に係る電力管理システムの一例として説明したが、表示部５３０を住宅の内部に設け、制御部５５０を住宅の外部（例えばサーバ）に設ける構成としてもよい。
【００６３】
また、実施形態では、制御部５５０が設けられる装置としてＨＥＭＳを例示したが、これに限定されるものではない。例えば制御部５５０は、ＢＥＭＳ（Ｂｕｉｌｄｉｎｇ  ａｎｄ  Ｅｎｅｒｇｙ  Ｍａｎｅｇｅｍｅｎｔ  Ｓｙｓｔｅｍ）、あるいはＦＥＭＳ（Ｆａｃｔｏｒｙ  Ｅｎｅｒｇｙ  Ｍａｎｅｇｅｍｅｎｔ  Ｓｙｓｔｅｍ）に設けられて入れていてもよい。
【００６４】
また、燃料電池として、ＳＯＦＣを示したが、ＰＥＦＣなどの他の方式の者であってもよい。
【００６５】
このように本発明は、ここでは記載していない様々な実施形態等を包含するということを理解すべきである。
【００６６】
なお、日本国特許出願第２０１１−２１３５７７（２０１１年９月２８日出願）の全内容が、参照により、本願に組み込まれている。
【産業上の利用可能性】
【００６７】
本発明によれば、燃料電池ユニットの発電効率の改善を促進できる電力管理システム、電力管理装置及び表示制御方法を提供することができる。
【図１】
2013047444.tif 000003
【図２】
2013047444.tif 000004
【図３】
2013047444.tif 000005
【図４】
2013047444.tif 000006
【図５】
2013047444.tif 000007
【国際調査報告】
2013047444.tif 000008
2013047444.tif 000009